(57)【要約】【課題】  現在の状態に応じた適切な画像表示を行うことで表示効果を有効に発揮できる自動販売機を提供する。【解決手段】  主制御部２１によって現在の状態が待ち受け状態と待機状態と販売状態の何れかにあるかを判別し、判別された状態で表示すべき画像データを特定するための画像コードを含む画像表示指示を表示制御部２４に送出すると共に、表示制御部２４によって画像表示指示に従って指示された画像コードに対応する画像データを画像データ記憶部２４ａ，外部記憶装置２５，ＤＶＤドライブ２６のＤＶＤメディアの何れかから読み出し、読み出した画像データに基づく画像を画像表示器６に表示する。つまり、自動販売機の現在の状態を適切に判別し、判別された現在の状態に応じた適切な画像表示を画像表示器６で行える。【選択図】  図２
2006171847.tif 000002
【特許請求の範囲】
【請求項１】
本体の接客面に設けられた画像表示器と、
現在の状態が待ち受け状態と待機状態と販売状態の何れにあるかを判別する状態判別手段と、
判別された現在の状態で表示すべき画像データを特定するための画像コードを含む画像表示指示を送出する画像表示指示手段と、
待ち受け状態，待機状態及び販売状態のそれぞれで表示すべき画像データを記憶する画像記憶手段と、
画像表示指示手段からの画像表示指示に従って指示された画像コードに対応する画像データを画像記憶手段から読み出して画像表示器に送出する画像表示切替手段とを備える、
ことを特徴とする自動販売機。
【請求項２】
状態判別手段は、購買者によって商品購入操作が開始されてから販売が完了するまでの状態を販売状態として判別し、非販売状態であって商品購入操作を受け入れ可能な状態を待機状態として判別し、待機状態が所定時間継続した後の状態を待ち受け状態として判別する、
ことを特徴とする請求項１に記載の自動販売機。
【請求項３】
画像表示指示手段は、待ち受け状態で表示すべき画像データを特定するための画像コードを時間帯，年月日及び曜日の少なくとも１つに基づいて割り当てたデータテーブルを含む、
ことを特徴とする請求項１または２に記載の自動販売機。
【請求項４】
画像表示指示手段のデータテーブルの内容を設定するための入力機器を備える、
ことを特徴とする請求項３に記載の自動販売機。
【請求項５】
画像記憶手段は、ＤＶＤドライブを含む、
ことを特徴とする請求項１〜４の何れか１項に記載の自動販売機。
【発明の詳細な説明】
【技術分野】
【０００１】
本発明は、画像表示器を接客面に備えた自動販売機に関する。
【背景技術】
【０００２】
カップ入り飲料を商品として販売する自動販売機、また、缶入り飲料，瓶入り飲料，ペットボトル入り飲料等を商品として販売する自動販売機には、液晶ディスプレイ等の画像表示器を接客面に備えたものが知られている。これら自動販売機では、販売可能な商品の画像等を画像表示器に表示することにより、画像表示器を有しない従前の自動販売機との差別化を図っている。
【特許文献１】特開平１１−６６４０８号公報
【特許文献２】特開２００１−１７５９３９号公報
【発明の開示】
【発明が解決しようとする課題】
【０００３】
画像表示器を有する自動販売機にあっては、商品購入時に各種画像を画像表示器に表示できる他、商品購入時以外のときに商品宣伝用の静止画像や動画像を画像表示器に表示できる有用性がある。
【０００４】
ところで、自動販売機の状態には、大別して、購買者によって商品購入操作が開始されてから販売が完了するまでの状態を指す販売状態と、商品購入操作を受け入れ可能な状態を指す待機状態と、待機状態が所定時間継続した後の状態を指す待ち受け状態とが存在する。
【０００５】
画像表示器による表示効果を充分に発揮させるには、現在の状態が待ち受け状態と待機状態と販売状態の何れにあるかを判別して、現在の状態に最も適した画像表示を行うことが好ましい。しかし、公知の自動販売機ではこのような状態判別を行っていないため、各状態に応じた適切な画像表示が行えているとは言い難い。
【０００６】
本発明は前記事情に鑑みて創作されたもので、その目的とするところは、現在の状態に応じた適切な画像表示を行うことで表示効果を有効に発揮できる自動販売機を提供することにある。
【課題を解決するための手段】
【０００７】
前記目的を達成するため、本発明の自動販売機は、本体の接客面に設けられた画像表示器と、現在の状態が待ち受け状態と待機状態と販売状態の何れにあるかを判別する状態判別手段と、判別された現在の状態で表示すべき画像データを特定するための画像コードを含む画像表示指示を送出する画像表示指示手段と、待ち受け状態，待機状態及び販売状態のそれぞれで表示すべき画像データを記憶する画像記憶手段と、画像表示指示手段からの画像表示指示に従って指示された画像コードに対応する画像データを画像記憶手段から読み出して画像表示器に送出する画像表示切替手段とを備える、ことをその特徴する。
【０００８】
この自動販売機によれば、現在の状態が待ち受け状態と待機状態と販売状態の何れかにあるかを判別し、判別された現在の状態で表示すべき画像データを特定するための画像コードを含む画像表示指示を送出すると共に、画像表示指示に従って指示された画像コードに対応する画像データを読み出し、読み出した画像データに基づく画像を画像表示器に表示することができる。つまり、自動販売機の現在の状態を判別し、判別された現在の状態に応じた適切な画像表示を画像表示器で行うことができる。
【発明の効果】
【０００９】
本発明によれば、現在の状態に応じた適切な画像表示を行うことで表示効果を有効に発揮できる。
【００１０】
本発明の前記目的とそれ以外の目的と、構成特徴と、作用効果は、以下の説明と添付図面によって明らかとなる。
【発明を実施するための最良の形態】
【００１１】
図１〜図８は本発明をカップ入り飲料を商品として販売する自動販売機に適用した一実施形態を示す。以下の説明では、図１の上を上、図１の下を下、図１の左を左、図１の右を右、図１の手前側を前、図１の奥側を後として表記する。
【００１２】
図１は自動販売機の前面図である。
【００１３】
本体１は、前面を開口したキャビネット（図示省略）と、キャビネットの前面開口に開閉自在に設けられたドア（符号無し）とを備える。図示を省略したが、本体１内にはカップ搬出機，浄水機，温水生成機，原料貯蔵庫，コーヒー抽出機，製氷機，撹拌機等の飲料生成機器の他にカップ移動機が内蔵されている。
【００１４】
本体１のドアの前面（接客面）には、紙幣投入口２と、硬貨投入口３と、返却レバー４と、硬貨返却口５と、画像表示器６と、画像表示器６の左右に並べられた複数の操作ボタン７が設けられている。画像表示器６は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）ディスプレイやＰＤＰ（Ｐｌａｓｍａ  Ｄｉｓｐｌａｙ  Ｐａｎｅｌ）等の周知のディスプレイから成り、後述の表示制御部２４（図２参照）からの送出される画像データを画像として表示する。
【００１５】
また、ドアの前面の画像表示器６の下側には、縦長矩形状のカップ搬出口８と、カップ搬出口８の外側に設けられたカップ載置台９と、ドアの前面に前側に張り出すように設けられた簡易テーブル１０が設けられている。さらに、カップ搬出口８の後側には、該カップ搬出口８を開閉するための左右一対のスライド扉１１ａ，１１ｂが設けられている。
【００１６】
カップ載置台９は、後述するカップＣを載置するに充分な面積を有し、且つ、複数の凸条を左右方向に間隔をおいて有する。また、カップ載置台９の左右には、カップＣの左右移動を制限するための所定高さの壁面が設けられている。
【００１７】
左右一対のスライド扉１１ａ，１１ｂは常時はカップ搬出口８を閉じており、カップ搬出時には互いが離れるように左右方向に移動してカップ搬出口８を開放する。スライド扉１１ａ，１１ｂを開閉する手段には、互いが接近するように各スライド扉１１ａ，１１ｂを付勢して閉塞状態を維持するバネと、各スライド扉１１ａ，１１ｂの後側に対称形に設けられた湾曲面等の被押圧面と、該被押圧面をカップ移動機のカップホルダの前進によって押圧して各スライド扉１１ａ，１１ｂを互いが離れるように動作させるローラ等の部品とを備えた機構が採用できる。勿論、互いが接近するように各スライド扉１１ａ，１１ｂをバネ付勢すると共に、各スライド扉１１ａ，１１ｂの後側にラックを設けて、各ラックに噛み合うピニオンを専用モータによって回転できる機構を採用してもよい。
【００１８】
カップＣは逆円錐台状の外形を有し、上端外周縁に環状リブを有している。このカップＣは紙等の可燃材料から成り、上端に存する環状リブの外径が最も大きく、下端の外径が最も小さい。このカップＣはカップ搬出機内に多数個積み重ねて収容されており、該カップ搬出機から１個ずつ落下搬出される。
【００１９】
前記のカップ移動機は、カップＣの保持及び保持解除を可能としたカップホルダと、カップホルダを左右方向と前後方向と上下方向に移動可能な３次元移動機構とを備える。カップホルダは上面形状が略Ｃ形を成すカップ保持部をその先端に有し、該カップ保持部の内径はカップＣの最大外径よりも僅かに小さく、且つ、開放部分の左右間隔はカップＣの最小外径よりも僅かに大きい。また、３次元移動機構は、Ｘ軸モータ，Ｙ軸モータ及びＺ軸モータと、各モータの回転運動を直線運動に変換してカップホルダに伝えるボールネジ及びナット等の運動変換機構を軸別に備える。
【００２０】
金銭の投入及び飲料の選択が成された後、カップ移動機のカップホルダはカップ搬出機の搬出位置に移動して該カップ搬出機から落下搬出されるカップＣを受け取る。先に述べたように、カップ保持部の内径はカップＣの最大外径よりも僅かに小さいため、カップ保持部の上方からカップＣを落下させれば該カップＣはカップ保持部に自動的に保持される。
【００２１】
カップＣを受け取った後のカップホルダは本体１内で所定の手順で移動し、該移動過程で所期の飲料生成がカップ内で実施される。例えば、砂糖及びミルクが入ったコーヒーが飲料として選択されたときには、カップホルダは、原料貯蔵庫から砂糖粉及びミルク粉がカップＣ内に投入され、コーヒー抽出機で抽出されたコーヒー液がカップＣ内に投入され、そして撹拌が実施されるように本体１内を所定の手順で移動する。
【００２２】
飲料生成が完了した後は、飲料が入ったカップＣを保持するカップホルダはカップ搬出口８の内側に設定された待機位置に移動し、そして同位置から所定距離前進して各スライド扉１１ａ，１１ｂを互いが離れるように左右方向に移動させてカップ搬出口８を開放し、そして前進位置から所定距離下降してカップＣをカップ載置台９上に載置し、そして下降位置から所定距離後退してカップＣをカップ載置台９上に置き去り、そして飲料生成前の初期位置に復帰する。先に述べたように、カップ保持部の開放部分の左右間隔はカップＣの最小外径よりも僅かに大きいため、カップホルダを下降させた後に該カップホルダを後退させれば、カップ保持部による保持を解除して、飲料が入ったカップＣをカップ載置台９上に置き去ることができる。
【００２３】
図２は前記自動販売機の画像表示に係る制御系ブロック図である。
【００２４】
主制御部２１はマイクロコンピュータ構成で、そのメモリには図３に示す画像表示指示に係るプログラムの他に後述する待ち受け状態，待機状態及び販売状態のそれぞれで表示すべき画像データを特定するための画像コードを記憶している。設定データ記憶部２１ａはメモリの一部領域であって、待ち受け状態で表示すべき画像データを特定するための画像コードを時間帯，年月日及び曜日の少なくとも１つに基づいて割り当てて作成された図５に示すようなデータテーブルを記憶している。このデータテーブルの内容は主制御部２１に接続されたハンディターミナル等の入力機器２２を用いて適宜設定することができる。また、主制御部２１は年月日，曜日及び時刻に係わるデータを入手可能な時計部２１ｂを備えている。この主制御部２１は、基本的には、自動販売機の現在の状態を判別し、各状態で表示すべき画像データを特定するための画像コードを選定して、該画像コードを含む画像表示指示を表示制御部２４に送出する役目を果たす。
【００２５】
販売制御部２３はマイクロコンピュータ構成で、そのメモリには前記飲料生成機器及びカップ移動機を動作させて所期の飲料を生成し搬出するためのプログラムを記憶している。この販売制御部２３は、後述する販売状態で表示すべき画像を選択するのに必要な動作タイミング信号を主制御部２１に送出する。
【００２６】
表示制御部２４はマイクロコンピュータ構成で、そのメモリには図４に示す画像切替に係るプログラムを記憶している。画像データ記憶部２４ａがメモリの一部領域であって、後述する待ち受け状態，待機状態及び販売状態のそれぞれで表示すべき画像データのうち主として静止画像データやデータ容量の小さな動画像データを記憶している。表示制御部２４にはハードディスクやアダプタ接続のメモリカード等の外部記憶装置２５とＤＶＤ（Ｄｉｇｉｔａｌ  Ｖｅｒｓａｔｉｌｅ  Ｄｉｓｋ）ドライブ２６が接続されており、外部記憶装置２５には主として静止画像データやデータ容量の小さな動画像データが記憶され、ＤＶＤドライブ２６のＤＶＤメディアには主としてデータ容量の大きな動画像データが記憶されている。空き容量にもよるが外部記憶装置２５またはＤＶＤドライブ２６のＤＶＤメディアに記憶されている画像データは画像データ記憶部２４ａに適宜取り込むこともできる。この表示制御部２４は、基本的には、主制御部２１からの画像表示指示に従って、指示された画像コードに対応する画像データを画像データ記憶部２４ａ，外部記憶装置２５またはＤＶＤドライブ２６から適宜読み出して画像表示器６に送出する役目を果たす。
【００２７】
図３は前記主制御部２１のメモリに記憶された画像表示指示に係るプログラムのフローを示す。
【００２８】
主制御部２１は自動販売機の現在の状態、即ち、待ち受け状態，待機状態，販売状態の何れにあるかを判別する（図３のステップＳＴ１，ＳＴ６，ＳＴ９）。
【００２９】
因みに、販売状態とは、購買者によって商品購入操作が開始されてから販売（カップ搬出）が完了するまでの状態を指す。また、待機状態とは、非販売状態であって商品購入操作を受け入れ可能な状態を指す。さらに、待ち受け状態とは、待機状態が所定時間継続した後の状態を指す。待ち受け状態において操作ボタン７の何れかが押されたときには待機状態に移行し、待機状態において所定の操作ボタン７が押される等の購入初期操作があったときには販売状態に移行する。販売状態において一連の商品販売動作が完了すると待機状態に移行し、待機状態が所定時間継続、例えば６０秒間継続すると待ち受け状態に移行する。
【００３０】
自動販売機の現在の状態が待ち受け状態であるときには、時計部２１ｂから時刻データ（現在時刻，年月日及び曜日を含む）を読み出し、そして該時刻データに基づいて該当する時間帯等を設定データ記憶部２１ａの記憶データからサーチして待ち受け状態で表示すべき画像データを特定するための画像コードを読み出し、そして該画像コードを含む待ち受け画像の表示指示を表示制御部２４に送出する（図３のステップＳＴ２〜ＳＴ５）。
【００３１】
また、自動販売機の現在の状態が待機状態であるときには、メモリから待機状態で表示すべき画像データを特定するための画像コードを読み出し、そして該画像コードを含む待機画像の表示指示を表示制御部２４に送出する（図３のステップＳＴ７，ＳＴ８）。
【００３２】
さらに、自動販売機の現在の状態が販売状態であるときには、メモリから販売状態で表示すべき画像データを特定するための画像コードを読み出し、該画像コードを含む販売画像の表示指示を表示制御部２４に送出する（図３のステップＳＴ１０，ＳＴ１１）。飲料生成開始や飲料生成完了のタイミングは販売制御部２３からの動作タイミング信号によって知ることができる。
【００３３】
図４は前記画像表示器２４のメモリに記憶された画像切替に係るプログラムのフローを示す。
【００３４】
表示制御部２４は主制御部２１からの表示指示が待ち受け画像，待機画像，販売画像の何れかであるかを判別する（図４のステップＳＥ１，ＳＥ４，ＳＥ７）。
【００３５】
主制御部２１からの表示指示が待ち受け画像の表示指示であるときには、その画像コードに対応する画像データを画像データ記憶部２４ａ，外部記憶装置２５，ＤＶＤドライブ２６のＤＶＤメディアの何れかから読み出し、読み出した画像データに基づく待ち受け画像を画像表示器６に表示する（図４のステップＳＥ２，ＳＥ３）。
【００３６】
また、主制御部２１からの表示指示が待機画像の表示指示であるときには、その画像コードに対応する画像データを画像データ記憶部２４ａ，外部記憶装置２５，ＤＶＤドライブ２６のＤＶＤメディアの何れかから読み出し、読み出した画像データに基づく待機画像を画像表示器６に表示する（図４のステップＳＥ５，ＳＥ６）。
【００３７】
さらに、主制御部２１からの表示指示が販売画像の表示指示であるときには、その画像コードに対応する画像データを画像データ記憶部２４ａ，外部記憶装置２５，ＤＶＤドライブ２６のＤＶＤメディアの何れかから読み出し、読み出した画像データに基づく販売画像を画像表示器６に表示する（図４のステップＳＥ８，ＳＥ９）。
【００３８】
以下に、出社時刻が９：００で退社時刻が１８：００のオフィスビルのエントランス等に前記自動販売機を設置した場合を例に挙げて、前述の画像表示指示及び画像切替の具体例について説明する。
【００３９】
図５は主制御部２１の設定データ記憶部２１ａに記憶された待ち受け状態用のデータテーブルを示す。同図から分かるように、出社時間である８：００〜９：００の時間帯には画像コード１０１が割り当てられ、午前の業務時間である９：００〜１２：００の時間帯には画像コード１０２が割り当てられ、昼休み時間である１２：００〜１３：００の時間帯には画像コード１０１が割り当てられ、午後の業務時間である１３：００〜１８：００の時間帯には画像コード１０２が割り当てられ、退社時間である１８：００〜１９：００の時間帯には画像コード１０１が割り当てられ、それ以後の時間帯（１９：００〜８：００）には画像コード１０２が割り当てられている。また、２００４年１２月１日から２００４年１２月３１日まではキャンペーン期間であるため画像コード１０１をキャンペーン対応の画像コード１０３に変換し、且つ、画像コード１０２をキャンペーン対応の画像コード１０４に変換することが設定されている。さらに、祝日及び休日（土曜日及び日曜日）にあっては画像コード１０１を画像無表示の画像コード０００に変換し、且つ、画像コード１０２を画像無表示の画像コード０００に変換することが設定されている。
【００４０】
自動販売機の現在の状態が待ち受け状態で、且つ、現在時刻が８：００〜９：００の出社時間帯，１２：００〜１３：００の昼休み時間帯または１８：００〜１９：００の退社時間帯であるときには、画像コード１０１で規定される図６（Ａ）の画像Ａ１、即ち、テレビで放送されている商品宣伝用動画像を画像表示器６に表示する。これら時簡帯は人通りが最も多く、しかも、商品の購入頻度も高いため、商品宣伝を積極的に行って販促に務める。
【００４１】
また、自動販売機の現在の状態が待ち受け状態で、且つ、現在時刻が９：００〜１２：００の業務時間帯，１３：００〜１８：００の業務時間帯または１９：００〜８：００の時間帯であるときには、画像コード１０２で規定される図６（Ｂ）の画像Ａ２，即ち、メーカー名やブランド名が含まれる静止画像を画像表示器６に表示する。これら時間帯は人通りがさほど多くなく、しかも、商品の購入頻度も高くないため、動画像の表示を差し控えて節電に務める。
【００４２】
日付が２００４年１２月１日〜２００４年１２月３１日のキャンペーン期間内であるときには、画像コード１０１で規定される図６（Ａ）の画像Ａ１の代わりに画像コード１０３で規定されるキャンペーン用動画像（図示省略）を画像表示器６に表示し、また、画像コード１０２で規定される図６（Ｂ）の画像Ａ２の代わりに画像コード１０４で規定されるキャンペーン用静止画像（図示省略）を画像表示器６に表示して、キャンペーンの告知を積極的に行う。
【００４３】
また、日付が祝日や休日（土曜日及び日曜日）であるときには、画像コード１０１で規定される図６（Ａ）の画像Ａ１や画像コード１０３で規定される画像の表示は行わず、また、画像コード１０２で規定される図６（Ｂ）の画像Ａ２や画像コード１０４で規定される画像の表示も行わないようにして節電に務める。
【００４４】
自動販売機の現在の状態が待機状態であるときには、所定の画像コードで規定される図７（Ａ）の画像Ｂ１、即ち、トップメニュー画像を画像表示器６に表示する。このトップメニュー画像にはＨＯＴ，ＣＯＬＤ等の商品の種別と各種別に該当する個別メニューが分かるような画像または文字が含まれている。待機状態であっても故障等によって販売ができない状態であるときには図７（Ｂ）の画像Ｂ２、即ち、準備中の文字が記された画像を表示する。
【００４５】
図７（Ａ）の画像Ｂ１（トップメニュー画像）が表示されている状態で、商品種別が操作ボタン７によって選択されたときには、自動販売機の現在の状態が販売状態となり、所定の画像コードで規定される図８（Ａ）の画像Ｃ１、即ち、商品種別に該当する個別メニューが拡大表示された画像を表示する。続いて、図８（Ａ）の画像Ｃ１が表示されている状態で、特定メニューが選択されたときには、図８（Ｂ）の画像Ｃ２、即ち、砂糖やミルク等の量の選択するための味付け用画像を表示する。続いて、図８（Ｂ）の画像Ｃ２の画像が表示されている状態で、味付け操作が完了したときには、図８（Ｃ）の画像Ｃ３、即ち、選択メニューに対する金額支払いを求める画像を表示する。続いて、図８（Ｃ）の画像Ｃ３の画像が表示されている状態で、金額支払いが完了したときには、図８（Ｄ）の画像Ｃ４、即ち、飲料生成中であることを知らせる「しばらくお待ち下さい。」等のメーセッジを含む画像を表示する。飲料生成が完了した後は、図８（Ｅ）の画像Ｃ５、即ち、飲料生成及びカップ搬出が完了したことを知らせる「ありがとうございました」等のメッセージを含む画像を表示する。
【００４６】
前述の自動販売機によれば、主制御部２１によって現在の状態が待ち受け状態と待機状態と販売状態の何れかにあるかを判別し、判別された現在の状態で表示すべき画像データを特定するための画像コードを含む画像表示指示を表示制御部２４に送出すると共に、表示制御部２４によって画像表示指示に従って指示された画像コードに対応する画像データを画像データ記憶部２４ａ，外部記憶装置２５，ＤＶＤドライブ２６のＤＶＤメディアの何れかから読み出し、読み出した画像データに基づく画像を画像表示器６に表示することができる。つまり、自動販売機の現在の状態を適切に判別し、判別された現在の状態に応じた適切な画像表示を画像表示器６で行えるので、画像表示器６による表示効果を有効に発揮できると共に、各状態に応じた画像表示によって購買者が受ける印象等を向上させて販売促進を図ることができる。
【００４７】
また、購買者によって商品購入操作が開始されてから販売が完了するまでの状態を販売状態として判別し、非販売状態であって商品購入操作を受け入れ可能な状態を待機状態として判別し、待機状態が所定時間継続した後の状態を待ち受け状態として判別しているので、待ち受け状態と待機状態と販売状態の判別を的確に行うことができる。
【００４８】
さらに、待ち受け状態にあるときには、時間帯，年月日及び曜日の少なくとも１つに基づいて割り当てた設定データ記憶部２１ａのデータテーブルに基づいて画像コードを選定しているので、時間帯，年月日及び曜日に応じたきめ細かい表示切り替えが行うことができる。
【００４９】
さらに、設定データ記憶部２１ａのデータテーブルの内容を入力機器２２を用いて任意に設定できるので、待ち受け状態における表示切り替えを自動販売機の設置場所及び環境に応じて的確に行うことができる。
【００５０】
さらに、画像記憶手段としてＤＶＤドライブ２６を備えているので、データ容量の大きな商品宣伝用動画像を画像表示器６に任意に表示できると共に、他の動画像の表示要求に対してもＤＶＤメディアの交換によって簡単に対応できる。
【００５１】
尚、前述の実施形態では、本発明をカップ入り飲料を商品として販売する自動販売機に適用したものを例示したが、缶入り飲料，瓶入り飲料，ペットボトル入り飲料等を商品として販売する自動販売機に本発明を適用しても同様の作用効果が得られることは言うまでもない。
【図面の簡単な説明】
【００５２】
【図１】本発明の一実施形態を示す自動販売機の前面図である。
【図２】図１の自動販売機の画像表示に係る制御系ブロック図である。
【図３】画像表示指示に係るプログラムのフローを示す図である。
【図４】画像切替に係るプログラムのフローを示す図である。
【図５】待ち受け状態用のデータテーブルの具体例を示す図である。
【図６】待ち受け状態の表示画像の具体例を示す図である。
【図７】待機状態の表示画像の具体例を示す図である。
【図８】販売状態の表示画像を具体例を示す図である。
【符号の説明】
【００５３】
１…本体、６…画像表示器、２１…主制御部、２１ａ…設定データ記憶部、２１ｂ…時計部、２２…入力機器、２４…表示制御部、２４ａ…画像データ記憶部、２５…外部記憶装置、２６…ＤＶＤドライブ。
【図１】
2006171847.tif 000003
【図２】
2006171847.tif 000004
【図３】
2006171847.tif 000005
【図４】
2006171847.tif 000006
【図５】
2006171847.tif 000007
【図６】
2006171847.tif 000008
【図７】
2006171847.tif 000009
【図８】
2006171847.tif 000010